(57)【要約】【課題】端子付近における筐体の剛性を向上可能な電子機器を提供する。【解決手段】携帯電話機１は、互いに対向するフロントケース１１及びリアケース１３を有する送話筐体３と、送話筐体３から露出する端子１７とを有する。リアケース１３は、フロントケース１１側へ突出する突片１９を有する。フロントケース１１は、リアケース１３側へ突出する壁部１１ｂを有する。端子１７は、突片１９をその外側面１９ａ及び内側面１９ｃから挟み込み、突片１９の外側面１９ａ及び内側面１９ｃをそれぞれ覆う外側面部２３及び内側面部２７を有する。また、端子１７は、内側面部２７から送話筐体３の内部側へ延び、回路基板１６に当接する延在部２９を有する。突片１９は壁部１１ｂの外側に位置し、送話筐体３の外側から順に、外側面部２３、突片１９、内側面部２７及び壁部１１ｂが積層される。【選択図】図３
2010218974.tif 000002
【特許請求の範囲】
【請求項１】
互いに対向して固定される第１ケース及び第２ケースを有する筐体と、
前記第１ケースと前記第２ケースとの間に収容される電子部品と、
前記電子部品に接続され、前記第１ケース及び前記第２ケースの対向方向の側方において前記筐体から露出する端子と、
を有し、
前記第１ケースは、
前記第２ケースに対向する第１対向面部と、
前記第１対向面部の外周部において前記第２ケース側へ突出する第１突部と、
を有し、
前記第２ケースは、
前記第１ケースに対向する第２対向面部と、
前記第２対向面部の外周部において前記第１ケース側へ突出する第２突部と、
を有し、
前記端子は、
前記第１突部をその外側面及び内側面から挟み込み、前記第１突部の外側面及び内側面をそれぞれ覆う外側面部及び内側面部と、
前記内側面部から前記筐体の内部側へ延び、前記電子部品に当接する延在部と、
を有し、
前記第１突部は前記第２突部の外側に位置し、前記筐体の外側から順に、前記外側面部、前記第１突部、前記内側面部及び前記第２突部が積層される
電子機器。
【請求項２】
前記端子は、前記第１突部の頂面を覆い、前記外側面部及び前記内側面部を連結する頂面部を有し、前記第１突部に当該第１突部の頂面側から被せられるものであり、
前記延在部は、前記第２突部の頂面よりも前記第１突部の根元側において前記内側面部から前記筐体の内部側へ延びている
請求項１に記載の電子機器。
【請求項３】
前記第２突部は、前記第２対向面部の外周に沿って延びる壁部であり、
前記第１突部は、前記壁部の一部に対向する突片である
請求項１又は２に記載の電子機器。
【請求項４】
前記第１突部は、前記第１対向面部の外周に沿って延びる壁部であり、
前記第２突部は、前記壁部の一部に対向する突片である
請求項１又は２に記載の電子機器。
【請求項５】
前記壁部の外側面及び内側面のうち前記突片側の面には、前記突片が収容される凹部が形成されている
請求項２〜４のいずれか１項に記載の電子機器。
【請求項６】
前記突片の突出方向に見た前記突片の外側面及び内側面の側方両側において、前記突片には被ガイド部が形成され、前記凹部には前記被ガイド部を前記突出方向に案内するガイド部が形成されている
請求項５に記載の電子機器。
【請求項７】
前記第１ケース及び前記第２ケースのうち前記突片を有するケースは、少なくとも２つの前記突片と、当該２つの突片の間において当該２つの突片に隣接して設けられた被係合部と、を有し、
前記第１ケース及び前記第２ケースのうち前記壁部を有するケースは、前記被係合部に対して前記第１ケース及び前記第２ケースの対向方向において係合する係合部を有する
請求項３〜６のいずれか１項に記載の電子機器。
【請求項８】
前記第１ケースは、前記端子の前記外側面部よりも外側において前記第１対向面部から前記第２対向面部側に突出し、前記端子の前記外側面部の一部を覆う第３突部を有し、
前記第２ケースは、前記端子の前記外側面部よりも外側において前記第２対向面部から前記第１対向面部側に突出し、前記端子の前記外側面部の一部を覆う第４突部を有し、
前記端子の前記外側面部は、前記第３突部及び前記第４突部の頂面間において露出している
請求項１〜７のいずれか１項に記載の電子機器。
【請求項９】
前記第１突部の前記内側面には、当該第１突部の突出方向に延びる突条が形成されており、
前記端子の前記内側面部には、前記突条に嵌合するスリットが形成されている
請求項１〜８のいずれか１項に記載の電子機器。
【請求項１０】
前記壁部の外側面には、前記突片が収容される凹部が形成され、
前記突片は、前記端子の前記外側面部及び前記内側面部から当該突片の突出方向の側方に突出した側方部を有し、
前記凹部には、前記側方部を前記突片の突出方向に案内する溝部が形成されている
請求項３に記載の電子機器。
【発明の詳細な説明】
【技術分野】
【０００１】
本発明は、携帯電話機、ＰＤＡ、デジタルカメラ、ゲーム機等の電子機器に関する。
【背景技術】
【０００２】
充電端子など、筐体の外部に露出する端子を有する電子機器が知られている。特許文献１〜３の端子は、一枚の板金が折り曲げられて構成されており、断面形状が矩形の３辺（コ字状又はＵ字状。以下、矩形状部分という）になる部分を有している。これらの端子は、矩形状部分に所定の部材を嵌合させることにより所定の部材に取り付けられる。また、これらの端子は、矩形状部分の対向する２面のうち一方が筐体の外部に露出し、他方が筐体の内部に位置する。筐体の外部に位置した面には、他の電子機器の端子が当接され、筐体の内部に位置した面若しくは当該面から延在する部分には、筐体内部の電子部品が接続される。特許文献３では、ケースの壁部の一部に薄肉部を設け、当該薄肉部を矩形状部分に嵌合させて、端子をケースに取り付ける技術が開示されている。
【先行技術文献】
【特許文献】
【０００３】
【特許文献１】特開２００８−２８８１５１号公報
【特許文献２】特開２００７−２７３３７５号公報
【特許文献３】特開２０００−３３２８６９号公報
【発明の概要】
【発明が解決しようとする課題】
【０００４】
筐体は、端子付近において強度が低下しやすい。例えば、筐体は、端子を筐体外部へ露出させるための開口部や切り欠きが形成されることにより、剛性が低下する。また、例えば、特許文献１の技術では、端子に嵌合させるための薄肉部がケースに形成されることにより、剛性が低下している。また、切り欠きや薄肉部が設けられないとしても、筐体の端子付近においては、端子に対して他の機器の端子が当接されることから、強度が高くされることが好ましい。
【０００５】
本発明の目的は、端子付近における筐体の剛性を向上可能な電子機器を提供することにある。
【課題を解決するための手段】
【０００６】
本発明の電子機器は、互いに対向して固定される第１ケース及び第２ケースを有する筐体と、前記第１ケースと前記第２ケースとの間に収容される電子部品と、前記電子部品に接続され、前記第１ケース及び前記第２ケースの対向方向の側方において前記筐体から露出する端子と、を有し、前記第１ケースは、前記第２ケースに対向する第１対向面部と、前記第１対向面部の外周部において前記第２ケース側へ突出する第１突部と、を有し、前記第２ケースは、前記第１ケースに対向する第２対向面部と、前記第２対向面部の外周部において前記第１ケース側へ突出する第２突部と、を有し、前記端子は、前記第１突部をその外側面及び内側面から挟み込み、前記第１突部の外側面及び内側面をそれぞれ覆う外側面部及び内側面部と、前記内側面部から前記筐体の内部側へ延び、前記電子部品に当接する延在部と、を有し、前記第１突部は前記第２突部の外側に位置し、前記筐体の外側から順に、前記外側面部、前記第１突部、前記内側面部及び前記第２突部が積層される。
【０００７】
好適には、前記端子は、前記第１突部の頂面を覆い、前記外側面部及び前記内側面部を連結する頂面部を有し、前記第１突部に当該第１突部の頂面側から被せられるものであり、前記延在部は、前記第２突部の頂面よりも前記第１突部の根元側において前記内側面部から前記筐体の内部側へ延びている。
【０００８】
好適には、前記第２突部は、前記第２対向面部の外周に沿って延びる壁部であり、前記第１突部は、前記壁部の一部に対向する突片である。
【０００９】
好適には、前記第１突部は、前記第１対向面部の外周に沿って延びる壁部であり、前記第２突部は、前記壁部の一部に対向する突片である。
【００１０】
好適には、前記壁部の外側面及び内側面のうち前記突片側の面には、前記突片が収容される凹部が形成されている。
【００１１】
好適には、前記突片の突出方向に見た前記突片の外側面及び内側面の側方両側において、前記突片には被ガイド部が形成され、前記凹部には前記被ガイド部を前記突出方向に案内するガイド部が形成されている。
【００１２】
好適には、前記第１ケース及び前記第２ケースのうち前記突片を有するケースは、少なくとも２つの前記突片と、当該２つの突片の間において当該２つの突片に隣接して設けられた被係合部と、を有し、前記第１ケース及び前記第２ケースのうち前記壁部を有するケースは、前記被係合部に対して前記第１ケース及び前記第２ケースの対向方向において係合する係合部を有する。
【００１３】
好適には、前記第１ケースは、前記端子の前記外側面部よりも外側において前記第１対向面部から前記第２対向面部側に突出し、前記端子の前記外側面部の一部を覆う第３突部を有し、前記第２ケースは、前記端子の前記外側面部よりも外側において前記第２対向面部から前記第１対向面部側に突出し、前記端子の前記外側面部の一部を覆う第４突部を有し、前記端子の前記外側面部は、前記第３突部及び前記第４突部の頂面間において露出している。
【００１４】
好適には、前記第１突部の前記内側面には、当該第１突部の突出方向に延びる突条が形成されており、前記端子の前記内側面部には、前記突条に嵌合するスリットが形成されている。
【００１５】
好適には、前記壁部の外側面には、前記突片が収容される凹部が形成され、前記突片は、前記端子の前記外側面部及び前記内側面部から当該突片の突出方向の側方に突出した側方部を有し、前記凹部には、前記側方部を前記突片の突出方向に案内する溝部が形成されている。
【発明の効果】
【００１６】
本発明によれば、端子付近における筐体の剛性を向上させることができる。
【図面の簡単な説明】
【００１７】
【図１】本発明の第１の実施形態に係る携帯電話機の斜視図。
【図２】図１の携帯電話機の送話筐体を構成するケースの分解斜視図。
【図３】図２の端子部付近における拡大図。
【図４】図３の端子部のうち突片付近を図３とは逆の視点から見た分解斜視図。
【図５】図３の端子部付近における断面図。
【図６】第２の実施形態に係る端子部の分解斜視図。
【図７】図６の端子部の断面図。
【図８】変形例の端子部を示す分解斜視図。
【発明を実施するための形態】
【００１８】
（第１の実施形態）
図１は、本発明の第１の実施形態に係る携帯電話機１の外観を開状態で示す斜視図である。
【００１９】
携帯電話機１は、いわゆる折り畳み式の携帯電話機として構成されており、開閉可能に互いに連結された送話筐体３及び受話筐体５を有している。閉状態では、送話筐体３及び受話筐体５の紙面手前側の前面３ａ及び５ａが互いに対向する。送話筐体３及び受話筐体５は、例えば、閉状態における対向方向において薄い薄型直方体状に形成されている。送話筐体３は、前面３ａと、前面３ａの裏側面となる背面３ｂと、前面３ａ及び背面３ｂの外周側となる外周面３ｃとを有している。
【００２０】
送話筐体３には、例えば、不図示の通話用のマイクロフォン、不図示の通信用の内蔵アンテナ、ユーザの操作を受け付ける操作部７が設けられている。受話筐体５には、例えば、不図示の通話用のスピーカ、画像や文字を表示する表示部９が設けられている。
【００２１】
図２は、送話筐体３を構成するフロントケース１１及びリアケース１３を示す分解斜視図である。
【００２２】
なお、送話筐体３は、フロントケース１１及びリアケース１３の他に、特に図示しないが、バッテリの着脱のためにリアケース１３に着脱されるバッテリリッド、及び、リアケース１３に接着されて撮像部の窓部を構成する透光部材等を有している。
【００２３】
フロントケース１１は、送話筐体３の前面３ａ側部分を構成し、リアケース１３は、送話筐体３の背面３ｂ側部分を構成する。フロントケース１１及びリアケース１３は、互いに対向して固定される。フロントケース１１及びリアケース１３の固定は、例えば、フロントケース１１及びリアケース１３の一方に挿通され、他方に螺合されたネジにより行われる。フロントケース１１及びリアケース１３の間には、回路基板１６（図５参照）等の種々の電子部品が配置される。フロントケース１１及びリアケース１３は、例えば、樹脂により成形されている。
【００２４】
フロントケース１１は、リアケース１３に対向する対向面部１１ａと、対向面部１１ａの外周部においてリアケース１３側に突出する壁部１１ｂとを有している。対向面部１１ａは、例えば、前面３ａと概ね同等の広さを有する矩形状に形成されている。ただし、対向面部１１ａには、操作部７を送話筐体３外部へ露出させるための比較的大きな開口１１ｃが形成されている。壁部１１ｂは、対向面部１１ａの外周に沿って延びており、対向面部１１ａを囲んでいる。なお、壁部１１ｂは、対向面部１１ａの概ね全周を囲っているが、壁部１１ｂの一部には、不図示のコネクタを送話筐体３の外部へ露出させるための切り欠き１１ｄ等の切り欠きが形成されている。
【００２５】
リアケース１３は、フロントケース１１に対向する対向面部１３ａと、対向面部１３ａの外周部においてフロントケース１１側に突出する壁部１３ｂとを有している。対向面部１３ａは、例えば、背面３ｂの概ね半分の広さを有する矩形状に形成されている。なお、背面３ｂの残りの部分は、不図示のバッテリリッドによって構成される。壁部１３ｂは、対向面部１３ａの外周に沿って延びており、対向面部１３ａを囲んでいる。壁部１３ｂは、その頂面が壁部１１ｂの頂面に対して当接し、壁部１１ｂとともに外周面３ｃの少なくとも一部を形成する。ただし、壁部１３ｂは、フロントケース１１の壁部１１ｂに比較して突出量が小さい（例えば、壁部１１ｂの突出量の半分以下）ことなどから、送話筐体３の外周面３ｃは、半分以上が壁部１１ｂにより構成されている。
【００２６】
送話筐体３には、外周面３ｃ付近において端子部１５が設けられる。端子部１５は、例えば、送話筐体３内に配置された不図示のバッテリを充電するためのものである。端子部１５は、リアケース１３に設けられた２つの突片１９と、フロントケース１１の壁部１１ｂに設けられ、２つの突片１９がそれぞれ挿通される凹部２１とを有している。
【００２７】
図３は、図２の端子部１５付近における拡大図である。図４は、端子部１５のうち突片１９付近を送話筐体３の内部側から（図３とは逆の視点から）見た分解斜視図である。
【００２８】
端子部１５は、送話筐体３内の電子部品に接続されるとともに、送話筐体３の外部に露出する端子１７を有している。端子１７は、送話筐体３の組み立て途中においては、突片１９に仮固定され、送話筐体３の組み立て後においては、突片１９と凹部２１とによって保持される。端子１７、突片１９及び凹部２１等の詳細は以下のとおりである。
【００２９】
端子１７は、一枚の板金に対して打ち抜き加工や折り曲げ加工等のプレス加工を施すことにより形成されている。端子１７は、概ね、直方体の３面及び直方体の外方に延びる１面の、合計４面の平板状部分からなっている。すなわち、端子１７は、外側面部２３と、外側面部２３に連続し、外側面部２３に直交する頂面部２５と、頂面部２５に連続し、外側面部２３に対向する内側面部２７と、内側面部２７に連続し、外側面部２３側とは反対側に延びる延在部２９（図４）とを有している。外側面部２３と頂面部２５と内側面部２７とにより上述の直方体の３面が構成され、延在部２９により上述の外方に延びる１面が構成されている。
【００３０】
外側面部２３は、送話筐体３の外部へ露出して、他の電子機器の端子が当接される部分である。頂面部２５及び内側面部２７は、端子１７を突片１９に取り付けるために突片１９を挟持する断面が略コ字状（略Ｕ字状）の部分を外側面部２３とともに形成する部分である。なお、以下では、これら３面（２３、２５及び２７）により形成される、断面が矩形の３辺（コ字状、Ｕ字状）となる部分を挟持部３１ということがある。外側面部２３及び内側面部２７の平面形状は、例えば、矩形である。また、外側面部２３及び内側面部２７は、例えば、同一の形状及び大きさに形成されている。
【００３１】
延在部２９は、筐体内部側に位置して、筐体内部の電子部品と接続される部分である。延在部２９の平面形状は、例えば、矩形である。延在部２９の内側面部２７とは反対側の端部には、電子部品の端子に当接する接点２９ａ（図４）が形成されている。接点２９ａは、例えば、挟持部３１が延在部２９に対して突出する側（本実施形態ではフロントケース１１側）へ突出する突部により形成されている。
【００３２】
２つの突片１９は、対向面部１３ａの外周部に沿って、互いに離間して配列されている。各突片１９は、リアケース１３の対向面部１３ａからフロントケース１１側に突出している。突片１９は、例えば、概ね、外側面１９ａと内側面１９ｃの厚さが薄い薄型直方体状に形成されている。また、突片１９は、例えば、突出方向に見て外側面１９ａ及び内側面１９ｃの側方両側となる２つの側面１９ｄ間の幅が、根元から頂面１９ｂまでの突出量（高さ）よりも小さい細型形状に形成されている。
【００３３】
端子１７は、挟持部３１により突片１９を挟み込み、突片１９に取り付けられる。具体的には、外側面部２３は外側面１９ａを覆い、頂面部２５は頂面１９ｂを覆い、内側面部２７は内側面１９ｃを覆う。なお、突片１９の突出方向において、突片１９の大きさ及び挟持部３１の大きさは同等である。幅方向（一方の側面１９ｄから他方の側面１９ｄへの方向）においては、突片１９は挟持部３１よりも大きく、突片１９の両側の側方部１９ｅは挟持部３１から側方に突出している。
【００３４】
突片１９の内側面１９ｃには、突片１９の突出方向に延びる突条３３（図４）が形成されている。一方、端子１７の内側面部２７には、頂面部２５から延在部２９へ延びるスリット３５が形成されている。スリット３５に突条３３が嵌合することにより、端子１７の突片１９からの脱落が抑制される。
【００３５】
リアケース１３の対向面部１３ａには、突片１９を囲むようにリブ３７（図４）が形成されている。端子１７が突片１９に取り付けられると、端子１７の延在部２９はリブ３７に囲まれた領域に収容される。これにより、延在部２９の位置ずれが抑制されるとともに、当接することが予定されていない部材が延在部２９に当接することが抑制される。
【００３６】
２つの凹部２１は、対向面部１１ａの外周部に沿って、２つの突片１９の間隔に対応する間隔で離間して配列されている。各凹部２１は、壁部１１ｂの一部が、壁部１１ｂの他の部分よりも内側に位置することにより形成されている。なお、壁部１１ｂのうち、凹部２１を形成するために内側に入り込んだ部分を立設部３９ということがある。立設部３９は、壁部１１ｂの他の部分と繋がっている。すなわち、立設部３９は、壁部１１ｂの他の部分よりも内側に位置しているが、立設部３９と壁部１１ｂの他の部分との間には、切り欠きは設けられていない。
【００３７】
凹部２１は、壁部１１ｂの外側面に形成されている。凹部２１は、壁部１１ｂの外側面が向く方向を凹とするとともに、壁部１１ｂの頂面が向く方向も凹として形成されている。凹部２１は、端子１７が取り付けられた突片１９が挿通される大きさ及び形状に形成されている。すなわち、概ね直方体状に形成されており、各辺の寸法は、端子１７が取り付けられた突片１９の各辺の寸法と概ね同等である。
【００３８】
端子１７が突片１９に取り付けられた状態で、フロントケース１１とリアケース１３とが固定されると、端子１７が取り付けられた突片１９は凹部２１内に位置し、端子１７は、突片１９と凹部２１とによって挟まれて保持される。端子１７の外側面部２３は、凹部２１が形成されることによって形成された、壁部１１ｂの外側面において開口する開口部から送話筐体３の外部へ露出する。
【００３９】
凹部２１において、立設部３９の両側側方となる２面には、立設部３９の突出方向に延びる溝部４１がそれぞれ形成されている。当該溝部４１の形状及び大きさは、突片１９の側方部１９ｅの形状及び大きさと概ね同等である。突片１９を凹部２１に挿入する際には、側方部１９ｅは、溝部４１に案内される。
【００４０】
フロントケース１１において、２つの凹部２１の間には、２つの凹部２１に隣接して、係合部４３（図３）が形成されている。係合部４３は、例えば、２つの立設部３９の間に立設された柱状部分の、壁部１１ｂの頂面よりもリアケース１３側の部分において、壁部１１ｂの外側面の向く方向に突出して形成されている。一方、リアケース１３において、２つの突片１９の間には、２つの突片１９に隣接して、被係合部４５（図４）が形成されている。被係合部４５は、例えば、壁部１３ｂの根元側において、壁部１３ｂの内側面の向く方向に突出して形成されており、対向面部１３ａとの間には、係合部４３が入り込むことが可能な隙間が形成されている。フロントケース１１とリアケース１３とが組み立てられたときには、係合部４３及び被係合部４５は、フロントケース１１及びリアケース１３の対向方向において係合する。
【００４１】
図５は、端子部１５付近における断面図である。ただし、図５は、概念的なものであり、突条３３やスリット３５等の構造の詳細の図示は省略されている。
【００４２】
上述のように、端子１７は、突片１９に取り付けられて、突片１９とともに凹部２１に配置される。従って、送話筐体３の外側から順に、端子１７の外側面部２３、突片１９、端子１７の内側面部２７、立設部３９（壁部１１ｂの一部）は積層される。なお、これらは、互いに当接して積層されていることが好ましい。ただし、これらは、携帯電話機１の使用において想定される荷重が加えられたときに互いに当接するように、無荷重においては一部に微小な隙間が生じるように積層されていてもよい。
【００４３】
フロントケース１１とリアケース１３との間には、電子部品として、例えば、硬質の樹脂をベースとしたプリント配線基板により構成された回路基板１６が配置されている。そして、端子１７の延在部２９の接点２９ａは、回路基板１６に実装された内部端子５１に当接する。接触圧は、例えば、延在部２９が挟持部３１に対して接点２９ａの突出側へ移動しようとする復元力により得られる。
【００４４】
図３及び図５に示すように、フロントケース１１は、端子１７の外側面部２３よりも外側において対向面部１１ａからリアケース１３側へ突出し、外側面部２３の一部を覆うリブ４７を有している。一方、図４及び図５に示すように、リアケース１３は、外側面部２３よりも外側において対向面部１３ａからフロントケース１１側へ突出し、外側面部２３の一部を覆うリブ４９を有している。なお、リブ４７は、壁部１１ｂの一部として捉えられてもよい。同様に、リブ４９は、壁部１３ｂの一部として捉えられてもよい。リブ４７及びリブ４９は、いずれも外周面３ｃの一部を構成する。
【００４５】
以上の第１の実施形態によれば、携帯電話機１は、互いに対向するフロントケース１１及びリアケース１３を有する送話筐体３と、送話筐体３内に設けられる回路基板１６と、回路基板１６に接続され、送話筐体３から露出する端子１７とを有する。リアケース１３は、フロントケース１１に対向する対向面部１３ａと、対向面部１３ａの外周部においてフロントケース１１側へ突出する突片１９とを有する。フロントケース１１は、リアケース１３に対向する対向面部１１ａと、対向面部１１ａの外周部においてリアケース１３側へ突出する壁部１１ｂとを有する。端子１７は、突片１９をその外側面１９ａ及び内側面１９ｃから挟み込み、突片１９の外側面１９ａ及び内側面１９ｃをそれぞれ覆う外側面部２３及び内側面部２７を有する。また、端子１７は、内側面部２７から送話筐体３の内部側へ延び、回路基板１６に当接する延在部２９を有する。突片１９は壁部１１ｂの外側に位置し、送話筐体３の外側から順に、外側面部２３、突片１９、内側面部２７及び壁部１１ｂが積層される。
【００４６】
従って、送話筐体３の外周面３ｃにおいて、端子１７付近は、突片１９及び壁部１１ｂが積層され、筐体の剛性が向上する。また、端子１７は、突片１９を外側面部２３と内側面部２７とで挟持するだけでなく、突片１９と壁部１１ｂとの間に内側面部２７が挟まれることによっても固定されるから、より確実に送話筐体３に対して固定される。突片１９と壁部１１ｂとの２重構造により、端子付近における防水性や防塵性も向上する。
【００４７】
端子１７は、突片１９の頂面１９ｂを覆い、外側面部２３及び内側面部２７を連結する頂面部２５を有し、突片１９に突片１９の頂面１９ｂ側から被せられるものである。延在部２９は、壁部１１ｂの頂面よりも突片１９の根元側において内側面部２７から送話筐体３の内部側へ延びている。従って、端子１７の取り付けが簡便になされる。突片１９を凹部２１に嵌合させるときに、端子１７が外れたり捲れたりするおそれも低減される。突片１９の幅を大きくすることも可能である。
【００４８】
内側面部２７の内側に位置する突部は、対向面部１１ａの外周に沿って延びる壁部１１ｂであり、外側面部２３と内側面部２７とに挟まれる突部は、壁部１１ｂの一部に対向する突片１９である。従って、上述の積層構造を送話筐体３の外周面３ｃを構成する壁部１１ｂを利用して実現でき、構成が簡素化される。しかも、端子１７を取り付けるために壁部１１ｂに切り欠き部を設けることがなく、対向面部１１ａを曲げるような荷重に対するフロントケース１１の剛性が高くなる。
【００４９】
壁部１１ｂの外側面には、突片１９が収容される凹部２１が形成されていることから、突片１９と壁部１１ｂとの剛性上の相互補完がより確実になされる。すなわち、壁部１１ｂに沿う方向においても壁部１１ｂと突片１９との積層構造が実現され、剛性が向上する。また、突片１９は、送話筐体３の外周面３ｃから突出せず、送話筐体３の意匠性も向上する。
【００５０】
突片１９の突出方向に見た突片１９の外側面１９ａ及び内側面１９ｃの側方両側において、突片１９には側方部１９ｅが形成され、凹部２１には側方部１９ｅを突片１９の突出方向に案内する溝部４１が形成されている。従って、突片１９の、外側面１９ａ及び内側面１９ｃに直交する方向の位置決めが確実になされる。さらに、突片１９の側面１９ｄ側における筐体外部から筐体内部への延面距離が長くなり、防塵性や防水性が向上する。
【００５１】
突片１９をガイドするガイド部は、突片１９の突出方向に延びる溝部４１であり、ガイド部に案内される被ガイド部は、突片１９のうち端子１７の外側面部２３及び内側面部２７から突出方向の側方に突出した側方部１９ｅである。従って、溝部４１に案内される突条が突片１９と端子１７との組み合わせにより構成され、突片１９自体に突条を形成する必要がない。その結果、突片１９の形状が簡素化される。
【００５２】
リアケース１３は、少なくとも２つの突片１９と、２つの突片１９の間において２つの突片に隣接して設けられた被係合部４５とを有する。フロントケース１１は、被係合部４５に対してリアケース１３及びフロントケース１１の対向方向において係合する係合部４３を有する。従って、端子１７近傍におけるリアケース１３とフロントケース１１との合せ目の離間が確実に抑制され、ひいては、端子１７の位置ずれ及び変形、並びに、これらに起因する接触不良が抑制される。
【００５３】
リアケース１３は、端子１７の外側面部２３よりも外側において対向面部１３ａから対向面部１１ａ側に突出し、端子１７の外側面部２３の一部を覆うリブ４９を有する。フロントケース１１は、端子１７の外側面部２３よりも外側において対向面部１１ａから対向面部１３ａ側に突出し、端子１７の外側面部２３の一部を覆うリブ４７を有する。端子１７の外側面部２３は、リブ４９及びリブ４７の頂面間において露出している。従って、外側面部２３は、リブ４７及びリブ４９によって送話筐体３の外部へ突出することが抑制されつつ、リブ４７及びリブ４９の頂面間から露出する。
【００５４】
突片１９の内側面１９ｃには、突片１９の突出方向に延びる突条３３が形成されており、端子１７の内側面部２７には、突条３３に嵌合するスリット３５が形成されている。従って、端子１７の突片１９からの脱落が抑制される。さらに、突片１９の突出方向の軸の曲げに関する断面２次モーメントが向上し、突片１９の剛性が向上する。
【００５５】
なお、以上の第１の実施形態において、携帯電話機１は本発明の電子機器の一例であり、送話筐体３は本発明の筐体の一例であり、リアケース１３は本発明の第１ケースの一例であり、フロントケース１１は本発明の第２ケースの一例であり、内部端子５１が実装された回路基板１６は本発明の電子部品の一例であり、対向面部１３ａは本発明の第１対向面部の一例であり、突片１９は本発明の第１突部の一例であり、対向面部１１ａは本発明の第２対向面部の一例であり、壁部１１ｂ（立設部３９）は本発明の第２突部の一例であり、側方部１９ｅは本発明の被ガイド部の一例であり、溝部４１は本発明のガイド部の一例であり、リブ４９は本発明の第３突部の一例であり、リブ４７は本発明の第４突部の一例である。
【００５６】
（第２の実施形態）
図６は、第２の実施形態に係る端子部１１５の分解斜視図である。
【００５７】
端子部１１５は、端子部の構成を除いては第１の実施形態の携帯電話機１と同様の構成を有する携帯電話機に設けられるものである。第１の実施形態の端子部１５は、端子１７に突片１９が嵌合される構成であったのに対して、第２の実施形態の端子部１５は、端子１７に壁部１１１ｂが嵌合される構成である。具体的には、以下のとおりである。
【００５８】
壁部１１１ｂは、第１の実施形態の壁部１１ｂと同様に、フロントケース１１１の対向面部１１１ａの外周部においてリアケース１１３側へ突出している。壁部１１１ｂは、端子１７の挟持部３１に嵌合する立設部１３９を含んでいる。立設部１３９は、例えば、壁部１１１ｂのうち立設部１３９の両側部分よりも薄肉に形成されている。突片１１９は、第１の実施形態の突片１９と同様に、リアケース１１３の対向面部１１３ａ（図７参照）からフロントケース１１１側に突出している。
【００５９】
図７は、端子部１１５の断面図である。
【００６０】
フロントケース１１１とリアケース１１３とが固定されると、突片１１９は、立設部１３９の内側に位置する。そして、送話筐体１０３の外側から順に、外側面部２３、立設部１３９（壁部１１１ｂ）、内側面部２７、突片１１９の順に積層される。
【００６１】
以上の第２の実施形態によれば、携帯電話機は、互いに対向するフロントケース１１１及びリアケース１１３を有する送話筐体１０３と、筐体内に設けられる回路基板１６（図５参照）と、回路基板１６に接続され、送話筐体１０３から露出する端子１７とを有する。フロントケース１１１は、リアケース１１３に対向する対向面部１１１ａと、対向面部１１１ａの外周部においてリアケース１１３側へ突出する立設部１３９（壁部１１１ｂ）とを有する。リアケース１１３は、フロントケース１１１に対向する対向面部１１３ａと、対向面部１１３ｂの外周部においてフロントケース１１１側へ突出する突片１１９とを有する。端子１７は、立設部１３９をその外側面１３９ａ及び内側面１３９ｃから挟み込み、立設部１３９の外側面１３９ａ及び内側面１３９ｃをそれぞれ覆う外側面部２３及び内側面部２７を有する。また、端子１７は、内側面部２７から送話筐体１０３の内部側へ延び、回路基板１６に当接する延在部２９を有する。立設部１３９は突片１１９の外側に位置し、送話筐体１０３の外側から順に、外側面部２３、立設部１３９、内側面部２７及び突片１１９が積層される。
【００６２】
従って、第１の実施形態と同様の効果が得られる。すなわち、送話筐体１０３の外周面において、端子１７付近は、突片１１９及び壁部１１１ｂが積層され、筐体の剛性が向上する。また、端子１７は、壁部１１１ｂが外側面部２３と内側面部２７との間に嵌合するだけでなく、突片１１９と壁部１１１ｂとの間に内側面部２７が挟まれることによっても固定されるから、より確実に送話筐体１０３に対して固定される。突片１１９と壁部１１１ｂとの２重構造により、端子付近における防水性や防塵性も向上する。
【００６３】
第２の実施形態においても、第１の実施形態において例示した種々の好ましい構成が適用されてよい。具体的には、以下のとおりである。
【００６４】
端子１７は、立設部１３９の頂面１３９ｂを覆い、外側面部２３及び内側面部２７を連結する頂面部２５を有し、立設部１３９に立設部１３９の頂面１３９ｂ側から被せられるものであってよい。延在部２９は、突片１１９の頂面よりも立設部１３９の根元側において内側面部２７から送話筐体３の内部側へ延びていてよい。
【００６５】
なお、第２の実施形態では、この構成により、第１の実施形態における効果に加えて、壁部１１１ｂに端子１７を挿通するスリット等を設けることなく、端子１７を壁部１１１ｂに取り付けることが可能となる効果が奏される。壁部１１１ｂにスリット等が設けられないことにより、対向面部１１１ａを曲げるような荷重に対するフロントケース１１１の剛性が高くなる。
【００６６】
壁部１１１ｂの突片１１９側の面（内側面）には、突片１１９が収容される凹部１２１（図６）が形成されてよい。
【００６７】
突片１１９の突出方向に見た突片１１９の外側面１１９ａ及び内側面１１９ｃの側方両側において、突片１１９には突条１１９ｅ（図６）が形成され、凹部１２１には突条１１９ｅを突片１１９の突出方向に案内する溝部１４１（図６）が形成されてよい。
【００６８】
リアケース１１３は、少なくとも２つの突片１１９と、２つの突片１１９の間において２つの突片１１９に隣接して設けられた被係合部１４５（図６）と、を有してよい。フロントケース１１１は、被係合部１４５に対してフロントケース１１１及びリアケース１１３の対向方向において係合する係合部１４３（図６）を有してよい。
【００６９】
フロントケース１１１は、端子１７の外側面部２３よりも外側において対向面部１１１ａから対向面部１１３ａ側に突出し、端子１７の外側面部２３の一部を覆うリブ１４７（図６及び図７）を有してよい。リアケース１１３は、端子１７の外側面部２３よりも外側において対向面部１１３ａから対向面部１１１ａ側に突出し、端子１７の外側面部２３の一部を覆うリブ１４９（図６及び図７）を有してよい。端子１７の外側面部２３は、リブ１４７及び１４９の頂面間において露出してよい。
【００７０】
立設部１３９の内側面１３９ｃには、突片１１９の突出方向に延びる突条１３３（図６）が形成されてよい。端子１７の内側面部２７には、突条１３３に嵌合するスリット３５が形成されてよい。
【００７１】
なお、以上の第２の実施形態において、送話筐体１０３は本発明の筐体の一例であり、フロントケース１１１は本発明の第１ケースの一例であり、リアケース１１３は本発明の第２ケースの一例であり、対向面部１１１ａは本発明の第１対向面部の一例であり、立設部１３９（壁部１１１ｂ）は本発明の第１突部の一例であり、対向面部１１３ａは本発明の第２対向面部の一例であり、突片１１９は本発明の第２突部の一例であり、突条１１９ｅは本発明の被ガイド部の一例であり、溝部１４１は本発明のガイド部の一例であり、リブ１４７は本発明の第３突部の一例であり、リブ１４９は本発明の第４突部の一例である。
【００７２】
本発明は、以上の実施形態に限定されず、種々の態様で実施されてよい。
【００７３】
電子機器は、携帯電話機に限定されない。例えば、電子機器は、デジタルカメラ、ＰＤＡ、ゲーム機、音楽再生プレーヤであってもよい。筐体は、開閉可能に構成されたものや、直方体状に形成されたものに限定されない。例えば、筐体は、円盤状のものであってもよい。端子は、充電端子に限定されない。例えば、端子は、音響や画像に係る情報を含む電気信号を入力又は出力するためのものであってもよい。
【００７４】
第１突部（第１の実施形態では突片１９、第２の実施形態では壁部１１１ｂ）及び第２突部（第１の実施形態では壁部１１ｂ、第２の実施形態では突片１１９）は、突片及び壁部の組み合わせに限定されない。例えば、図８に示すように、第１突部及び第２突部は、第１ケースの壁部２１１ｂ（の頂部）及び第２ケースの壁部２１３ｂ（の頂部）の組み合わせであってもよい。また、第１突部及び第２突部の数は、２組に限定されず、１組でもよいし、３組以上であってもよい。第１突部を、第１の実施形態では凹部２１に、第２の実施形態では凹部１２１に、嵌合するように構成してもよい。このように構成することにより、更に筐体の剛性を向上できる他、防水性や防塵性も向上できる。
【００７５】
端子の外周面部と内周面部とを連結する部分は、第１突部の頂面を覆うものに限定されない。例えば、第１突部が突片である場合（第１実施形態参照）において、頂面部に代えて、突片の側方を覆う側面部が設けられ、当該側面部によって外周面部と内周面部とが連結されてもよい。また、延在部は、第２突部の頂面よりも第１突部の根元側において内側面部から延びるものに限定されない。例えば、第１突部が壁部であり、第２突部が突片である場合（第２実施形態参照）において、延在部は、突片の側方において内側面部から延びるものであってもよい。
【００７６】
被ガイド部（第１の実施形態では側方部１９ｅ、第２の実施形態では突条１１９ｅ）は、突条に限定されず、また、ガイド部（第１の実施形態では溝部４１、第２の実施形態では溝部１４１）は、溝部に限定されない。これとは逆に、被ガイド部が溝部で、ガイド部が突条であってもよい。突片の一方側の側面と、他方側の側面とで、互いに異なる被ガイド部が設けられていてもよい。
【符号の説明】
【００７７】
１…携帯電話機（電子機器）、２…送話筐体、１１…フロントケース（第２ケース）、１１ａ…対向面部（第２対向面部）、１１ｂ…壁部（第２突部）、１３…リアケース（第１ケース）、１３ａ…第１対向面部、１６…回路基板（電子部品）、１７…端子、１９…突片（第１突部）、２３…外側面部、２５…頂面部、２７…内側面部、２９…延在部。
【図１】
2010218974.tif 000003
【図２】
2010218974.tif 000004
【図３】
2010218974.tif 000005
【図４】
2010218974.tif 000006
【図５】
2010218974.tif 000007
【図６】
2010218974.tif 000008
【図７】
2010218974.tif 000009
【図８】
2010218974.tif 000010